(57)【要約】【課題】携帯電話において、基地局のカバーエリア外からでも高い受信感度を維持できる方式を提供する。【解決手段】基地局からの電波信号を受信し、それを増幅してカバーエリアを作成する電波中継装置を単体又は複数使用することで、基地局本来のカバーエリアを拡大する。【効果】本発明の携帯ネットワーク方式によれば、従来問題であった携帯電話使用の際に基地局のカバーエリア外であった場合、カバーエリア内へ移動しなければならないというわずらわしさが解消され、安定した通信を実現することができるという効果が得られる。【選択図】  図１
2004166022.tif 000002
【特許請求の範囲】
【請求項１】
基地局の電波信号を受信し、増幅を行なった後発信を行ない、自体のカバーエリアを作成する電波中継装置を単体又は複数設け、電波のネットワークを作ることにより、基地局のカバーエリア外においても高い受信感度を維持できることを特徴とした携帯のネットワーク方式。
【請求項２】
前記電波中継装置に、ハンドオフ処理手順を備え、電波のネットワークが確立した状態から、中継を行なっている電波中継装置が移動を行なった場合においても、通信の途絶えを防ぐことを特徴とした請求項１に記載の携帯のネットワーク方式。
【請求項３】
請求項１及び請求項２に記載の電波中継装置。
【発明の詳細な説明】
【０００１】
【発明の属する技術分野】
本発明は、携帯電話において、単体又は複数の電波中継装置を用いることにより、良好な受信感度を維持する方式に関する。
【０００２】
【従来の技術】
従来の技術では、携帯電話は複数存在する基地局のカバーエリア内において、一番受信感度の高い基地局を選択し、接続を行なっている。
【０００３】
又、下記の特許文献１では、電波不感地帯に出入りしても、確実にハンドオーバーを行なうことができる通信システムが提案されている。
【０００４】
【特許文献１】
特開２００１−３６９４０号公報
【０００５】
【発明が解決しようとする課題】
近年、携帯電話の普及に伴い、基地局の増設も進んできたが、人口の少ない場所、特に山に囲まれた地域や半島等は基地局のカバーエリア外となっているところが少なくない。
【０００６】
上記のような条件の場所は、レジャーや観光で訪れることが多く、訪問先から知人、友人に連絡を取りたい場合や、各メーカが行なっているサービス機能等を利用したい場合において、その場所が基地局のカバーエリア外であった場合は、最寄りの基地局のカバーエリア内まで移動しなければならなく非常にわずらわしい。場所によっては何十Ｋｍも移動しなければならないこともある。
【０００７】
また、上述した特許文献１には、電波不感地帯に出入りしても、通信の途絶えを防ぐ方式が記載されているが、これは基地局のカバーエリア内又は基地局から他の基地局へ移動する場合に有効であり、基地局のカバーエリア外においては接続する手段がない。
【０００８】
本発明は、上記課題を解決するものであり、基地局のカバーエリア外においても高い受信感度を維持でき、安定した通信を行なうことができる方式を提供するものである。
【０００９】
【課題を解決するための手段】
上記目的を達成する為に、本発明は、自動車や自動二輪車などの移動体を電波中継装置として使用し、前記電波中継装置には、基地局又は他の電波中継装置からの電波を検知する電波検知手段と、検知した電波が上位からか下位からかの判別処理を行なう電波制御手段と、受信した電波信号を増幅し自体のカバーエリアとして発信する電波処理手段及び電波発信手段とを具備することを特徴とする。
【００１０】
また、上記電波中継装置において、前記電波処理手段に中継番号情報の格納手段を備え、受信は必ず自体より若い中継番号情報を持つ受信先から行なうことも特徴である。これにより、常に中継番号の若い方すなわち基地局に近い受信先から受信をおこなうことにより、電波中継装置間でのループを防ぐことができる。
【００１１】
また、前記電波中継装置は電波受信感度が不安定となる移動中において、電波の受信及び発信を不可とする移動判定手段を備えることも特徴である。
【００１２】
また、電波受信先である電波中継装置の移動により通信が不安定となることを防ぐため、受信した電波信号レベルの検知を行なう電波検知手段と、電波信号のレベルが低下した場合は他の電波中継装置に接続を切り替えるハンドオフ制御手段とを兼ね備えることも特徴である。
【００１３】
なお、近年は自動車や自動二輪車等の移動体がかなり普及しており、至る所に駐車してあるのが見受けられる。これらの移動体を電波中継装置として使用することで、電波のカバーエリアを拡大することが可能となる。
【００１４】
【発明の実施の形態】
以下図面を参照し、本発明の一実施形態について説明する。
【００１５】
図１は、本発明の一実施形態に係る電波中継装置の構成を示すブロック図である。同図において、符号２は、アンテナ１を介して電波信号の検知を行なう電波検知部である。
【００１６】
符号４は、前記電波検知部２で検知した電波信号が、上位すなわち基地局又は自身が持つ中継番号情報より若い番号を持つ電波中継装置からの電波か、下位すなわち携帯電話又は自身が持つ中継番号情報より大きい番号を持つ電波中継装置からの電波かを判別し、上位からの電波信号であれば、上位電波処理部５へ、下位からの電波信号であれば、下位電波処理部６へ送信する。なお、前述した中継番号については後述する。
【００１７】
上記受信した電波が上位からであった場合は、中継番号情報に＋１し、中継番号情報格納部７へ格納し、上位との接続を行なう。＋１して格納した中継番号情報は、以降から電波信号探索時に比較を行なう情報として使用する。また、上位から受信した電波信号は、前記上位電波処理部５で増幅し、電波送信部８からアンテナ１を介し発信を行なう。これにより、自体を基地局として電波のカバーエリアが作成される。
【００１８】
上記受信した電波が下位からであった場合は、下位電波処理部６から電波送信部８とアンテナ１を介し、現在接続を行なっている上位へ、そのまま送信を行なう。
【００１９】
また、上述した電波検知部２は、電波信号レベルの監視を行ない、受信中の電波信号のレベルが低下すると、他の電波信号の探索を開始し、自体より若い中継番号情報を持つ電波中継装置の中で、受信感度の高い電波を持つ電波中継装置を発見するとハンドオフ制御部３にてハンドオフ処理を行ない、接続の切り替えを行なう。もし発見できなかった場合は、自体と同じ番号かもしくはそれ以外で最も若い中継番号情報を持つ電波中継装置と接続し、中継番号の振り替えを行なう。
【００２０】
符号９は、電波中継装置が電波受信不安定となる移動中である場合、電波送受信を不可とする移動判断部であり、駆動制御部１０から移動情報を受け取ると、電波制御部４に対し電波受信／発信中止処理を行なう。これにより、移動中の電波中継装置は電波中継を行なわずネットワークから除外することで、携帯電話使用者は安定した送受信を行なうことが可能となる。
【００２１】
次に、携帯ネットワークの動作について説明する。
【００２２】
まず、図１及び図４のフローチャートを参照し、電波中継装置が上位からの受信を行なう動作を説明する。
【００２３】
ステップＳ１で移動中である電波中継装置が、ステップＳ２で停止する。この時、移動判定部９が駆動制御部１０から停止情報を受け取り、電波制御部４へ送信する。電波制御部４は、電波検知部２に電波受信開始を行なわせる（ステップＳ３）。ステップＳ４で、受信感度の良好な電波を発見した場合、電波制御部４は、受信した電波信号を上位電波処理部５へ送る。上位電波処理部５では、電波信号に中継番号情報があるか確認（ステップＳ５）し、あれば番号に＋１して中継番号情報格納部７へ格納する（ステップＳ６）。なければ中継番号情報を１として格納し（ステップＳ９）、ステップＳ７で、受信先である上位と接続を開始する。その後、格納した自体の中継番号と、上位から受信している電波信号を、電波送信部８で増幅し、アンテナ１を介し発信する（ステップＳ８で）ことで、自体のカバーエリアを作成する。
【００２４】
次に、図１及び図５のフローチャートを参照し、電波中継装置が下位から受信を行なう動作を説明する。
【００２５】
ステップＳ１１で、前述した電波中継装置が上位と接続を行なっている状態で、待機状態にある。ステップＳ１２で、電波検知部２が電波を検知した場合、電波制御部４は、中継番号情報格納部７に格納してある自体の中継番号と、検知した電波信号の中継番号を比較し、上位からであればステップＳ１１の待機状態へ、下位からであれば下位電波処理部６へ送る。下位電波処理部６は、電波送信部８からアンテナ１を介し、受信した電波信号を現在接続している上位へそのまま送信する。なお、受信した電波が継続している場合は送信状態を維持し、切断した場合は送信を終了し、待機状態となる（ステップＳ１５、ステップＳ１６）。
【００２６】
次に実施の携帯について、図２及び図３を参照し説明する。
【００２７】
まず図２は、本発明のもっとも基本的な形態であり、基地局Ａと携帯電話との間に複数の電波中継装置２０ａ，２０ｂが存在する。基地局Ａのカバーエリア内にある電波中継装置２０ａは、基地局Ａと直接接続を行なう。基地局Ａから発信する電波信号には中継番号情報が含まれていない為、電波中継装置２０ａは自体を中継番号１と設定し、受信した電波信号を増幅した後電波信号の発信を行ない、自体のカバーエリアを作る。前記電波中継装置２０ａのカバーエリア内にある電波中継装置２０ｂは、同様に電波中継装置２０ａからの電波信号と中継番号情報を受信すると、中継番号に＋１を行ない電波信号を増幅した後発信し、自体のカバーエリアを作る。このように電波を中継していくことで、基地局Ａのカバーエリアを拡大することができ、基地局Ａ本来のカバーエリア外にある携帯電話からも通信が可能となる。
【００２８】
また、電波中継装置として使用する自動車、自動二輪車等の普及はかなり進んでいる為、電波の中継を無数に作ることができ、電波のネットワークを作ることができる。
【００２９】
次に電波中継を行なっている電波中継装置が移動した場合について、図３を参照し説明する。
【００３０】
基地局Ａから、電波中継装置２０ａを中継番号１、電波中継装置２０ｂを中継番号２として順に接続を行ない、電波中継装置２０ｂのカバーエリア内で携帯電話から通信を行なっている状態において、電波中継装置２０ａが移動を開始したとする。電波中継装置２０ａに接続していた電波中継装置２０ｂは、受信していた電波のレベル低下を検知すると同時に、他の受信感度の高い電波中継装置又は基地局の探索を開始する。図３では、電波中継装置２０ｂは、基地局Ａのカバーエリア外にある為、直接基地局Ａから受信することができない。図３によると、電波中継装置３０ａは基地局Ａのカバーエリア内に存在しており、基地局Ａと直接接続を行なっている為、中継番号が１であり電波中継装置２０ｂより若い中継番号を持っている。また、電波中継装置２０ｂは電波中継装置３０ａのカバーエリア内に存在し、受信感度が高い為、即座にハンドオフ処理を実施する。こうすることにより、通信が途絶えることを防ぐことと、電波中継装置間でのループを防ぐことができる。
【００３１】
なお、上記で述べた電波中継装置は、船舶や携帯電話自身でもよい。
【００３２】
【発明の効果】
以上説明したように、本発明の携帯ネットワーク方式によれば、従来問題であった携帯電話使用の際に基地局のカバーエリア外であった場合、カバーエリア内へ移動しなければならないというわずらわしさが解消され、安定した通信を実現することができるという効果が得られる。
【図面の簡単な説明】
【図１】本発明の一実施形態に係る携帯ネットワーク方式の電波中継装置の内部構成を示すブロック図である。
【図２】同実施形態のもっとも基本的な携帯ネットワーク方式を説明する為の説明図である。
【図３】同実施形態における、電波中継装置が移動した場合の処理方法を説明する為の説明図である。
【図４】同実施形態における、電波中継装置が上位から受信を行なう動作を示したフローチャートである。
【図５】同実施形態における、電波中継装置が下位から受信を行なう動作を示したフローチャートである。
【符号の説明】
１…アンテナ、２…電波検知部、３…ハンドオフ制御部、４…電波制御部、５…上位電波処理、６…下位電波処理部、７…中継番号情報格納部、８…電波送信部、９…移動判定部、１０…駆動制御部、２０ａ…電波中継装置、２０ｂ…電波中継装置、２１…携帯電話、３０ａ…電波中継装置。
【図１】
2004166022.tif 000003
【図２】
2004166022.tif 000004
【図３】
2004166022.tif 000005
【図４】
2004166022.tif 000006
【図５】
2004166022.tif 000007